(57)【要約】 本発明は、モバイルターミナルおよびバーチャルボタンに誤ってタッチすることによって生ずる誤処理を減少するバーチャルボタンを処理する方法に関する。モバイルターミナルは、複数のバーチャルボタンと補助感知領域とを有するタッチパネルと、該タッチパネルに接続されたタッチ処理チップと、を備え、前記補助感知領域は前記タッチパネルの一側に配置され、少なくとも２つのバーチャルボタンおよび補助感知領域のトリガーが同時に取得される場合、前記タッチ処理チップは、前記少なくとも２つのバーチャルボタンのうちの前記補助感知領域から遠いバーチャルボタンのトリガーを処理するようにされている。前記方法は、少なくとも２つのバーチャルボタンと補助感知領域とのトリガーを同時に取得すること、および前記少なくとも２つのバーチャルボタンのうちの前記補助感知領域から遠いバーチャルボタンのトリガーを処理することを含む。
2017506381.tif 000002
【特許請求の範囲】
【請求項１】
複数のバーチャルボタンと補助感知領域とを有するタッチパネルと、
前記タッチパネルに接続されたタッチ処理チップと、を備え、
前記補助感知領域は前記タッチパネルの一側に配置され、
少なくとも２つのバーチャルボタンおよび補助感知領域のトリガーが同時に取得される場合、前記タッチ処理チップは、前記少なくとも２つのバーチャルボタンのうちの前記補助感知領域から遠いバーチャルボタンのトリガーを処理するようにされたモバイルターミナル。
【請求項２】
前記複数のバーチャルボタンは、前記タッチパネルの制御領域に配置されている請求項１に記載のモバイルターミナル。
【請求項３】
前記複数のバーチャルボタンの両側にそれぞれ配置され且つ前記制御領域における前記複数のバーチャルボタンと整列された少なくとも２つの補助感知領域を備えている請求項２に記載のモバイルターミナル。
【請求項４】
前記タッチ処理チップは、複数のコンパレータを備え、
それぞれのコンパレータは、
前記複数のバーチャルボタンのうちの一つのバーチャルボタンに対するタッチ感知信号を取得し、
前記タッチ感知信号の強度が強度閾値より大きいか否かを判定し、
前記タッチ感知信号の強度が前記強度閾値より大きい場合、前記複数のバーチャルボタンのうちの前記バーチャルボタンのトリガーを取得するようにされている請求項１に記載のモバイルターミナル。
【請求項５】
少なくとも２つのバーチャルボタンおよび補助感知領域のトリガーを同時に取得することと、
前記少なくとも２つのバーチャルボタンのうちの前記補助感知領域から遠いバーチャルボタンのトリガーを処理することと、
を含むバーチャルボタンを処理する方法。
【請求項６】
前記少なくとも２つのバーチャルボタンのトリガーを同時に取得することは、
複数のバーチャルボタンのうちの一つのバーチャルボタンに対するタッチ感知信号を取得することと、
前記タッチ感知信号の強度が強度閾値より大きいか否かを判定することと、
前記タッチ感知信号の強度が前記強度閾値より大きい場合、前記複数のバーチャルボタンのうちの前記バーチャルボタンのトリガーを取得することと、
を含む請求項５に記載の方法。
【請求項７】
少なくとも２つのバーチャルボタンおよび補助感知領域のトリガーを同時に取得するようにした取得モジュールと、
前記少なくとも２つのバーチャルボタンのうちの前記補助感知領域から遠いバーチャルボタンのトリガーを処理するようにした処理モジュールと、を備えているバーチャルボタンを処理する装置。
【請求項８】
前記取得モジュールは、
複数のバーチャルボタンのうちの一つのバーチャルボタンに対するタッチ感知信号を取得するようにした取得サブモジュールと、
前記タッチ感知信号の強度が強度閾値より大きいか否かを判定するようにした判定サブモジュールと、
前記タッチ感知信号の強度が前記強度閾値より大きい場合、前記複数のバーチャルボタンのうちの前記バーチャルボタンのトリガーを取得するようにしたトリガーサブモジュールと、
を備える請求項７に記載の装置。
【発明の詳細な説明】
【技術分野】
【０００１】
本出願は、２０１５年１月１９日に中国特許庁に出願された中国特許出願第２０１５１００２５６１５．４号および２０１５年１月７日に中国特許庁に出願された中国特許出願第２０１５１０００８０９７．５号に基づきそれらの優先権を主張し、それらの内容が全体的に本明細書に導入され援用される。
【０００２】
本開示は、コンピュータ処理の分野に関し、更に詳細に述べると、モバイルターミナル、バーチャルボタンを処理する方法に関する。
【背景技術】
【０００３】
電子技術の発展に伴って、モバイルターミナルが広く用いられ、そのアップグレード（品質向上）はきわめて速い。このターミナルへの入力は初めにキーボードによって実行され、次いで、タッチスクリーン、現在では、ますます知的でより進展したフルタッチスクリーンによって実行されている。タッチスクリーンを有するモバイルターミナルのために、物理的ボタンの多くの機能を、タッチスクリーンにおけるバーチャルボタンによって実現することができる。ユーザは、バーチャルボタンの作動を、バーチャルボタンのクリックまたは他のジェスチャー（動作）を介して行うことができる。
【発明の概要】
【０００４】
関連する技術に存在する問題を克服するために、本開示の実施例は、モバイルターミナル、バーチャルボタンを処理する方法を提供する。
【０００５】
本開示の実施例の第１の面によれば、モバイルターミナルが提供され、このモバイルターミナルは、複数のバーチャルボタンと補助感知領域とを有するタッチパネルと、該タッチパネルに接続されたタッチ処理チップとを備えている。前記補助感知領域は前記タッチパネルの一側に配置されている。少なくとも２つのバーチャルボタンおよび補助感知領域のトリガーが同時に取得される場合、前記タッチ処理チップは、前記少なくとも２つのバーチャルボタンのうちの前記補助感知領域から遠いバーチャルボタンのトリガーを処理するようにされている。
【０００６】
或る実施例では、複数のバーチャルボタンは、タッチパネルの制御領域に配置されている。
【０００７】
或る実施例では、モバイルターミナルは、複数のバーチャルボタンの両側にそれぞれ配置され制御領域の複数のバーチャルボタンと整列された少なくとも２つの補助感知領域を備えている。
【０００８】
或る実施例では、前記タッチ処理チップが複数のコンパレータを備え、それぞれのコンパレータは、複数のバーチャルボタンのうちの一つのバーチャルボタンのためのタッチ感知信号を取得し、該タッチ感知信号の強度が強度閾値より大きいか否かを判定し、前記タッチ感知信号の強度が強度閾値より大きい場合、前記複数のバーチャルボタンのうちの前記バーチャルボタンのトリガーを取得するようにされている。
【０００９】
本開示の実施例の第２の面によれば、バーチャルボタンを処理する方法が提供され、この方法は、少なくとも２つのバーチャルボタンおよび補助感知領域のトリガーを同時に取得すること、前記少なくとも２つのバーチャルボタンのうちの前記補助感知領域から遠いバーチャルボタンのトリガーを処理することを備えている。
【００１０】
或る実施例では、少なくとも２つのバーチャルボタンのトリガーを同時に取得することが、複数のバーチャルボタンのうちの一つのバーチャルボタンのためのタッチ感知信号を取得すること、該タッチ感知信号の強度が強度閾値より大きいか否かを判定すること、前記タッチ感知信号の強度が強度閾値より大きい場合、前記複数のバーチャルボタンのうちの前記バーチャルボタンのトリガーを取得することを含む。
【００１１】
本開示の実施例の第３の面によれば、バーチャルボタンを処理する装置が提供され、この装置は、少なくとも２つのバーチャルボタンと補助感知領域とのトリガーを同時に取得するようにした取得モジュールと、前記少なくとも２つのバーチャルボタンのうちの前記補助感知領域から遠いバーチャルボタンのトリガーを処理するようにした処理モジュールとを備えている。
【００１２】
或る実施例では、前記取得モジュールは、複数のバーチャルボタンのうちの一つのバーチャルボタンのためのタッチ感知信号を取得するようにした取得サブモジュールと、該タッチ感知信号の強度が強度閾値より大きいか否かを判定するようにした判定サブモジュールと、前記タッチ感知信号の強度が強度閾値より大きい場合、前記複数のバーチャルボタンのうちの前記バーチャルボタンのトリガーを取得するようにしたトリガーサブモジュールとを含む。
【００１３】
以下の概略的な記載および以下の詳細な記載の両方とも代表的なものであり、説明のみであって、請求された発明を限定するものでない。
【図面の簡単な説明】
【００１４】
添付図面は、本明細書の一部に導入されてその一部を構成し、本発明に相応する実施例を、明細書の記載と共に示し、本発明の原理を説明するのに役立つ。
【図１】関連技術におけるモバイルターミナルを示すブロック図である。
【図２】例示的実施例に係るモバイルターミナルを示すブロック図である。
【図３】例示的実施例に係るモバイルターミナルを示すブロック図である。
【図４】例示的実施例に係るモバイルターミナルを示すブロック図である。
【図５】例示的実施例に係るバーチャルボタンを処理する方法を示すフローチャートである。
【図６】例示的実施例に係るバーチャルボタンを処理する装置を示すブロック図である。
【図７】例示的実施例に係る装置を示すブロック図である。
【発明を実施するための形態】
【００１５】
以下、例示的な実施例を、添付図面を参照して詳細に説明する。以下の説明は、図示されていない限り、同じあるいは同様な部品に同じ符号が付された添付図面を参照している。例示的な実施例として以下の説明に述べられた実施例は、本発明に相当するすべての実施例を示すものでない。その代り、それら実施例は、以下に述べる特許請求の範囲に記載された本発明に関連する面に相当する装置および方法の単なる例示に過ぎない。
【００１６】
関連する技術では、ほとんどのモバイルターミナルはタッチスクリーンを有する。このタッチスクリーンのバーチャルボタンを、多くの原型の物理的ボタンの機能を実現するために用いることができる。これら物理的ボタンと異なって、バーチャルボタンを、大きな圧力の代わりに、タッチ感覚でトリガーすることができる。しかし、これには問題がある。図１に示す通り、バーチャルボタン１、バーチャルボタン２、およびバーチャルボタン３が左方から右方に配列されている。ユーザがモバイルターミナルを右手で保持している場合に、右手の指を用いてボタン１をクリックするとき、ユーザは、ボタン２又はボタン３を不注意にタッチしてしまうかもしれない。ボタン２又はボタン３をトリガーするとモバイルターミナルは、誤って処理されてしまう。
【００１７】
この問題を解決するために、本開示の実施例では、タッチパネルにはタッチ感知領域を設けることができる。バーチャルボタンの処理優先をこのタッチ感知領域を介して調節することができ、これによって、誤った処理を少なくする。
【００１８】
本開示の実施例では、バーチャルボタンは、表示インターフェースにおけるバーチャルボタンを含むばかりでなく、制御領域におけるメニューボタン、ホームボタンおよびバックボタンをもバーチャルボタンによって実施することができる。タッチ感知方法によって実施されるバーチャルボタンは本開示の実施例に適用可能である。
【００１９】
図２は、例示的な実施例に係るモバイルターミナルを示す。図２に示されるように、このモバイルターミナルは、タッチパネル２０１とタッチ処理チップ２０２とを含む。
【００２０】
タッチパネル２０１は、複数のバーチャルボタン２０３と補助感知領域２０４とを備えている。この補助感知領域２０４は、タッチパネル２０１の一側に配置されている。
【００２１】
タッチ処理チップ２０２は、タッチパネル２０１に接続されている。少なくとも２つのバーチャルボタン２０３と補助感知領域２０４とのトリガーが同時に取得される場合、このタッチ処理チップは、２つのバーチャルボタン２０３のうちの補助感知領域２０４から遠いバーチャルボタン２０３のトリガーを処理するように構成されている。タッチ処理チップ２０２は、タッチボタンの専用チップでもよく、又は汎用処理チップ、例えば、ＣＰＵであってもよい。
【００２２】
タッチパネルにはこの実施例における補助感知領域が設けられている。図２は、この補助感知領域がバーチャルボタンの右側に配置されている例を示している。ユーザがモバイルターミナルを右手で保持しボタン２を右手の指でタッチする場合、ボタン２、ボタン３および補助感知領域のそれぞれをトリガーすることができる。タッチ処理チップは、ボタン２、ボタン３および補助感知領域からの３つのトリガー信号をそれぞれ受領する。この場合に、補助感知領域からのボタン２の距離は、タッチ処理チップがボタン３の代わりにボタン２を処理することができるように遠くにあり、従って、ボタン３に誤ってタッチすることによって生ずる誤動作を減少する。そのため、バーチャルボタンをより精度よく処理することができる。
【００２３】
或る実施例では、図３に示すように、タッチパネル２０１は、インターフェース領域２０１１および制御領域２０１２を備えている。複数のバーチャルボタンは、制御領域に配置されている。これら複数のバーチャルボタンは、メニューボタン、ホームボタン、バックボタン等であってもよい。
【００２４】
この実施例を、タッチパネルのインターフェース領域および制御領域に適用することができ、特に、その効果は、この実施例が制御領域に適用された場合に良好である。
【００２５】
或る実施例では、図４に示すように、複数のバーチャルボタンの両側にそれぞれ配置され制御領域において複数のバーチャルボタンと整列された少なくとも２つの補助感知領域が設けられている。
【００２６】
この実施例では、ユーザの利き手が異なっているので、何人かのユーザはモバイルターミナルを左手で保持するのに慣れており、何人かのユーザはモバイルターミナルを右手で保持するのに慣れているかもしれない。例えばユーザがモバイルターミナルを左手で保持しバーチャルボタンを左手の指でタッチする場合、制御領域の左側に配置された補助感知領域が効果的である。ユーザの左手の指がボタン２をタッチすると、ボタン１と左側に配置された補助感知領域との両方を同時にタッチすることができる。そして、タッチ処理チップはボタン１のタッチを無視しボタン２のトリガーのみを処理することができる。ユーザがモバイルターミナルを右手で保持しバーチャルボタンを右手の指でタッチする場合、制御領域の右側に配置された補助感知領域が効果的である。ユーザの右手の指がボタン２をタッチすると、ボタン３と右側に配置された補助感知領域との両方を同時にタッチすることができる。そして、タッチ処理チップはボタン３のタッチを無視しボタン２のトリガーのみを処理することができる。
【００２７】
換言すると、左側に配置された補助感知領域のトリガーを受領するとき、バーチャルボタンの優先度の高い処理から優先度の低い処理の順序は、ボタン３、ボタン２、ボタン１であり、例えば、左側に配置された補助感知領域に対し、遠いバーチャルボタンから近いバーチャルボタンに処理していく。同様に、右側に配置された補助感知領域のトリガーを受領するとき、バーチャルボタンの優先度の高い処理から優先度の低い処理の順序は、ボタン１、ボタン２、ボタン３であり、例えば、右側に配置された補助感知領域に対し、遠いバーチャルボタンから近いバーチャルボタンに処理していく。
【００２８】
この実施例は、利き手が異なるユーザにとって有効である。また、バーチャルボタンをより正確に処理するように、補助感知領域を異なるシナリオに応じて追加することができる。
【００２９】
或る実施例において、タッチ処理チップは複数のコンパレータ（比較器）を備えている。１つのバーチャルボタンのためのタッチ検知信号の強度が強度閾値より大きいか否かを判定するため、およびバーチャルボタンのために得られたタッチ検知信号の強度が強度閾値より大きい場合にバーチャルボタンのトリガーを取得するために、各コンパレータは、上記一つのバーチャルボタンのためのタッチ検知信号を取得するように構成されている。
【００３０】
この実施例は、誤作動によって生じた誤った処理を減少することができるように、コンパレータによってタッチ感知信号のトリガーをより正確に確認することができる。
【００３１】
図５は、例示的実施例に係るバーチャルボタンを処理する方法を示し、この方法を、モバイルターミナルによって実現することができる。図５に示すように、この方法は以下のステップを備えている。
【００３２】
ステップ５０１において、少なくとも２つのバーチャルボタンと補助感知領域とのトリガーが同時に取得される。
【００３３】
ステップ５０２において、少なくとも２つのバーチャルボタンのうちの補助感知領域から遠いバーチャルボタンのトリガーが処理される。
【００３４】
或る実施例では、少なくとも２つのバーチャルボタンのトリガーを同時に取得することは、各バーチャルボタンのためのタッチ感知信号を取得すること、そのタッチ感知信号の強度が強度閾値より大きいか否かを判定すること、バーチャルボタンのため得られたタッチ感知信号の強度が強度閾値より大きい場合、バーチャルボタンのトリガーを取得することを含む。
【００３５】
バーチャルボタンを処理する実現性を、上述した説明により理解することができる。この実現性はモバイルターミナルによって実行される。装置の内部構造および機能が以下に述べられる。
【００３６】
図６は、例示的実施例に係るバーチャルボタンを処理する装置を示すブロック図である。図６に示すように、この装置は取得モジュール６０１および処理モジュール６０２を備えている。
【００３７】
取得モジュール６０１は、少なくとも２つのバーチャルボタンおよび補助感知領域のトリガーを同時に取得するようにされている。
【００３８】
処理モジュール６０２は、少なくとも２つのバーチャルボタンのうち補助感知領域から遠いバーチャルボタンのトリガーを処理するようにされている。
【００３９】
或る実施例では、取得モジュール６０１は、取得サブモジュール、判定サブモジュール、およびトリガーサブモジュールを備えている。
【００４０】
取得サブモジュールは、各バーチャルボタンのためのタッチ感知信号を取得するようにされている。
【００４１】
判定サブモジュールは、タッチ感知信号強度が強度閾値より大きいか否かを判定するようにされている。
【００４２】
トリガーサブモジュールは、バーチャルボタンのため取得されたタッチ感知信号の強度が強度閾値より大きい場合、バーチャルボタンのトリガーを取得するようにされている。
【００４３】
上記実施例における装置について、個々のモジュールの作動を行う特定の態様が、方法に関する実施例に詳細に述べられており、ここでは再度詳細に述べない。
【００４４】
図７は、例示的な実施例に係るモバイルターミナルを制御する装置７００を示すブロック図である。例えば、装置７００は、モバイルフォン、コンピュータ、デジタル放送ターミナル、メッセージ装置、ゲーム機、タブレット、医療機器、運動器具、携帯端末等であってもよい。
【００４５】
図７を参照すると、装置７００は、以下の１つ又は複数のコンポーネント、処理コンポーネント７０２、メモリ７０４、パワー（電力）コンポーネント７０６、マルチメディアコンポーネント７０８、オーディオコンポーネント７１０、入力/出力（Ｉ/Ｏ）インターフェース７１２、センサーコンポーネント７１４および通信コンポーネント７１６を含むことができる。
【００４６】
処理コンポーネント７０２は、代表的には、装置７００の全体作動、例えば、ディスプレイ、電話、データ通信に組み込まれた作動、カメラ作動、レコーディング作動を制御する。処理コンポーネント７０２は、上述した方法におけるステップの全体または一部を行うように指示を実行するための１つ又は複数のプロセッサ７２０を含むことができる。また、処理コンポーネント７０２は、この処理コンポーネント７０２と他のコンポーネントとの間の相互作用を容易にする１つ又は複数のモジュールを含むことができる。例えば、処理コンポーネント７０２は、マルチメディアコンポーネント７０８と処理コンポーネント７０２との間の相互作用を容易にするためのマルチメディアモジュールを含むことができる。
【００４７】
メモリ７０４は、装置７００の作動を支持するため種々の種類のデータを記憶するようにされている。このようなデータの例は、装置７００上の任意の適用あるいは方法のための指示、連絡先データ、電話帳、メッセージ、絵、ビデオ等を含む。メモリ７０４は、スタチック（静的）ランダムアクセスメモリ（ＳＲＡＭ）、電気的に消去可能なプログラマブルリードオンリーメモリ（ＥＥＰＲＯＭ）、消去可能なプログラマブルリードオンリーメモリ（ＥＰＲＯＭ）、プログラマブルリードオンリーメモリ（ＰＲＯＭ）、リードオンリーメモリ（ＲＯＭ）、磁気メモリ、フラシュメモリ、磁気又は光学ディスクの如き、任意の種類の揮発性または不揮発性のメモリデバイスまたはそれらの組み合わせを用いて実施可能である。
【００４８】
パワーコンポーネント７０６は、装置７００の種々のコンポーネントに電力を供給するようにされている。このパワーコンポーネント７０６は、パワー管理システム、１つまたは複数の電源、および装置７００におけるパワーの発生、制御および配分に関連した他のコンポーネントを含むことができる。
【００４９】
マルチメディアコンポーネント７０８は、装置７００とユーザとの間に出力インターフェースを形成するようにされたスクリーンを備えている。いくつかの実施例において、このスクリーンは、液晶ディスプレイ（ＬＣＤ）およびタッチパネル（ＴＰ）を含むことができる。スクリーンがタッチパネルを含む場合、スクリーンを、ユーザからの入力信号を受領するためのタッチスクリーンとして実施することができる。タッチパネルは、１つ又は複数のタッチセンサーを含むことができタッチパネルにおけるタッチ、スワイプおよびジェスチャー（動作）を感知する。タッチセンサーは、タッチまたはスワイプ動作の境界を感知するばかりでなく、タッチまたはスワイプ動作に関連した時間および圧力を感知する。いくつかの実施例において、マルチメディアコンポーネント７０８は、前方カメラおよび/又は後方カメラを備えている。装置７００が撮影モードまたはビデオモードの如き作動モードにあるとき、これら前方カメラおよび後方カメラは、外部のマルチメディアデータを受領することができる。前方カメラおよび後方カメラのそれぞれは、固定光学レンズ系にしてもよく又は焦点および光学ズーム能力を有していてもよい。
【００５０】
オーディオコンポーネント７１０は、オーディオ信号を出力および/又は入力するようにされている。例えば、装置７００が電話モード、レコーディングモードおよび音声認識モードにあるとき、このオーディオコンポーネント７１０は、外部のオーディオ信号を受領するようにされたマイクロフォン（“ＭＩＣ”）を有する。受領されたオーディオ信号を、更に、メモリ７０４に記憶してもよいし、通信コンポーネント７１６を介して伝達してもよい。いくつかの実施例において、オーディオコンポーネント７１０は、更に、オーディオ信号を出力するためのスピーカーを有する。
【００５１】
Ｉ/Ｏインターフェース７１２は、処理コンポーネント７０２とその周囲のインターフェースモジュール、例えば、キーボード、クリックホイール、ボタン等との間にインターフェースを形成するようにされている。ボタンは、ホームボタン、ボリューム（音量）ボタン、開始ボタンおよびロックボタンを含むことができるが、これらに限定されない。
【００５２】
センサーコンポーネント７１４は、装置７００の種々の面の状況評価を提供するための１つ又は複数のセンサーを備えている。例えば、センサーコンポーネント７１４は、装置７００のＯＮ/ＯＦＦ状態、装置７００のコンポーネント（例えば、ディスプレイスクリーンおよびキーボード）の相対的な位置決めを検出することができる。センサーコンポーネント７１４は、更に、装置７００又は装置の７００のコンポーネントの所定位置の変化、装置７００と接触するユーザの存在又は非存在、装置７００の方向又は加速/減速、および装置７００の温度の変化を検出することができる。センサーコンポーネント７１４は、任意の物理的な接触なく、近くの対象物の存在を検出するようにされた近接センサーを含むことができる。センサーコンポーネント７１４は、更に、撮像適用例に用いるためのＣＭＯＳ又はＣＣＤイメージセンサーの如き光センサーを含むことができる。いくつかの実施例において、センサーコンポーネント７１４は、また、加速度センサー、ジャイロセンサー、磁気センサー、圧力センサー、又は温度センサーを含むことができる。
【００５３】
通信コンポーネント７１６は、装置７００と他のターミナルとの間の有線又は無線通信を促進するようにされている。装置７００を、ＷｉＦｉ（ワイファイ）、２Ｇ又は３Ｇ又はそれらの組み合わせの如き通信規格に基づいて、無線ネットワークにアクセスすることができる。１つの例示的実施例では、通信コンポーネント７１６は、放送チャンネルを介して、外部の放送制御システムからの放送信号又は放送関連情報を受領する。１つの例示的実施例では、通信コンポーネント７１６は、更に、近距離通信を容易にするための近接フィールド通信（ＮＦＣ）モジュールを備えている。例えば、このＮＦＣモジュールを、無線周波数識別（ＲＦＩＤ）技術、赤外線データ協会（ＩｒＤＡ）技術、超広帯域（ＵＷＢ）技術、ブルートゥース（登録商標）（ＢＴ）技術、又は他の技術に基づいて、実施することができる。
【００５４】
例示的実施例では、上述した方法を実行するため、特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールド（現場）プログラマブルゲートデバイス（ＦＰＧＡ）、コントローラ、マイクロコントローラ、マイクロプロセッサ、又は他の電子的コンポーネントの如き、１つ又は複数の電子要素によって装置７００を実施することができる。
【００５５】
例示的実施例では、更に、上述した方法を実行するため、装置７００のプロセッサ７２０によって実行可能な指示を含むメモリ７０４の如き、指示を含む非一時的なコンピュータ可読記憶媒体が設けられている。例えば、この非一時的なコンピュータ可読記憶媒体は、ＲＯＭ，ＲＡＭ，ＣＤ−ＲＯＭ，磁気テープ、フロッピーディスク、光学データ記憶デバイス等にすることができる。
【００５６】
本発明の他の実施例は、本明細書に開示された発明の詳細および実行を考慮して当業者には明らかであろう。本願は、本発明の全体的な原理に従い且つ当業界で既知又は慣習的な実施の範囲内にあるような本開示からの改良を含む本発明の任意の変形例、用途、適用性を含むように企図される。明細書および例は、例示のみとして考慮され、本発明の真の範囲および精神は以下に記載される特許請求の範囲によって示されることが企図される。
【００５７】
認識されることは、本発明が上述され添付図面に示された正確な構成に限定されることがなく、且つ種々の変形および変更が本発明の範囲から逸脱することなくなされることである。本発明の範囲は特許請求の範囲によって限定されるのみであることが企図される。
【図１】
2017506381.tif 000003
【図２】
2017506381.tif 000004
【図３】
2017506381.tif 000005
【図４】
2017506381.tif 000006
【図５】
2017506381.tif 000007
【図６】
2017506381.tif 000008
【図７】
2017506381.tif 000009
【手続補正書】
【提出日】平成28年7月12日(2016.7.12)
【手続補正１】
【補正対象書類名】特許請求の範囲
【補正対象項目名】全文
【補正方法】変更
【補正の内容】
【特許請求の範囲】
【請求項１】
複数のバーチャルボタンと補助感知領域とを有するタッチパネルと、
該タッチパネルに接続されたタッチ処理チップと、を備え、
前記補助感知領域は前記タッチパネルの一側に配置され、
少なくとも２つのバーチャルボタンおよび補助感知領域のトリガーが同時に取得される場合、
前記タッチ処理チップは、前記少なくとも２つのバーチャルボタンのうちの前記補助感知領域から遠いバーチャルボタンのトリガーを処理するようにされたモバイルターミナル。
【請求項２】
前記複数のバーチャルボタンは、前記タッチパネルの制御領域に配置されている請求項１に記載のモバイルターミナル。
【請求項３】
前記複数のバーチャルボタンの両側にそれぞれ配置され且つ前記制御領域における前記複数のバーチャルボタンと整列された少なくとも２つの補助感知領域を備えている請求項２に記載のモバイルターミナル。
【請求項４】
前記タッチ処理チップは、複数のコンパレータを備え、
それぞれのコンパレータは、
前記複数のバーチャルボタンのうちの一つのバーチャルボタンに対するタッチ感知信号を取得し、
前記タッチ感知信号の強度が強度閾値より大きいか否かを判定し、
前記タッチ感知信号の強度が前記強度閾値より大きい場合、前記複数のバーチャルボタンのうちの前記バーチャルボタンのトリガーを取得するようにされている請求項１乃至３のいずれか１つに記載のモバイルターミナル。
【請求項５】
少なくとも２つのバーチャルボタンおよび補助感知領域のトリガーを同時に取得することと、
前記少なくとも２つのバーチャルボタンのうちの前記補助感知領域から遠いバーチャルボタンのトリガーを処理することと、
を含むバーチャルボタンを処理する方法。
【請求項６】
少なくとも２つのバーチャルボタンのトリガーを同時に取得することは、
複数のバーチャルボタンのうちの一つのバーチャルボタンに対するタッチ感知信号を取得することと、
前記タッチ感知信号の強度が前記強度閾値より大きいか否かを判定することと、
前記タッチ感知信号の強度が前記強度閾値より大きい場合、前記複数のバーチャルボタンのうちの前記バーチャルボタンのトリガーを取得することと、
を含む請求項５に記載の方法。
【請求項７】
少なくとも２つのバーチャルボタンおよび補助感知領域のトリガーを同時に取得するようにした取得モジュールと、
前記少なくとも２つのバーチャルボタンのうちの前記補助感知領域から遠いバーチャルボタンのトリガーを処理するようにした処理モジュールと、を備えているバーチャルボタンを処理する装置。
【請求項８】
前記取得モジュールは、複数のバーチャルボタンのうちの一つのバーチャルボタンに対するタッチ感知信号を取得するようにした取得サブモジュールと、
前記タッチ感知信号の強度が強度閾値より大きいか否かを判定するようにした判定サブモジュールと、
前記タッチ感知信号の強度が前記強度閾値より大きい場合、前記複数のバーチャルボタンのうちの前記バーチャルボタンのトリガーを取得するようにしたトリガーサブモジュールと、
を備える請求項７に記載の装置。
【請求項９】
少なくとも２つのバーチャルボタンの一つのバーチャルボタンに対するタッチ感知信号を取得することと、
前記タッチ感知信号の強度が強度閾値より大きいか否かを判定することと、
前記タッチ感知信号の強度が前記強度閾値より大きい場合、前記少なくとも二つのバーチャルボタンのうちの前記バーチャルボタンのトリガーを取得することと、
前記少なくとも２つのバーチャルボタンのうちの前記補助感知領域から遠い前記バーチャルボタンのトリガーを処理することと、
を含むバーチャルボタンを処理する方法を、請求項１乃至４のいずれか１項に記載のモバイルターミナルに実行させるためのコンピュータプログラム。
【請求項１０】
請求項９に記載のコンピュータプログラムが記憶されたコンピュータ可読記憶媒体。
【国際調査報告】
2017506381.tif 000010
2017506381.tif 000011
2017506381.tif 000012
2017506381.tif 000013